(57)【要約】【課題】パチンコ遊技機等の遊技機において、球抜き操作部の簡単な操作だけで貯留球をすべて球抜きできるようにする。【解決手段】球供給流路５７側へバネの付勢により切り換えられている通常状態の流路切換装置４５を切換操作部の操作により球抜き流路５８側へ切り換えて、その流路切換状態の保持をする流路切換状態保持手段６０と、球供給流路底板５１をなし、切換操作部の操作により球供給流路５７側への連通状態と球供給流路５７側に対し非連通状態で球抜き流路５８側への連通状態とに変換する流路変換部材を備える。この流路変換部材に形成され、球抜き流路５８側へ連通状態とする変換動作の際に１個の遊技球Ｂを保持する遊技球保持部材６１と、この遊技球保持部材６１に保持された遊技球Ｂの一部と係止することにより、流路変換部材を球抜き流路５８側への連通状態に保持する遊技球ロック部材６３とを備える。【選択図】図８
2004329966.tif 000002
【特許請求の範囲】
【請求項１】
球発射装置へ供給する遊技球を貯留しておく球貯留部と、
この球貯留部の遊技球を前記球発射装置へ供給する球供給流路と前記球貯留部から下方へ遊技球を排出する球抜き流路との流路切換動作を行う流路切換装置と、
この流路切換装置を遊技者の操作により切換動作可能とする切換操作部と、を備えた遊技機の球貯留皿において、
当該球貯留皿は、前面体と背面体との間に前記球貯留部が形成される中間体を介設してなり、
前記球供給流路側へバネの付勢により切り換えられている通常状態の前記流路切換装置を遊技者による前記切換操作部の操作により前記球抜き流路側へ切り換えて、該球抜き流路側へ切り換えられた前記流路切換装置の流路切換状態の保持をする流路切換状態保持手段、を備え、
前記流路切換装置は、前記球供給流路の底板を構成し、遊技者による前記切換操作部の操作により前記背面体に形成された底板ガイドスリットに組み込まれて前後方向にスライド動作し、前記球供給流路側への連通状態と前記球供給流路側に対し非連通状態で前記球抜き流路側への連通状態とに変換する流路変換部材を備え、
前記流路切換状態保持手段は、
前記流路変換部材から後方に突出して形成され、前記球抜き流路側へ連通状態とする変換動作の際に１個の遊技球を保持する球保持穴が形成された遊技球保持部材と、
この遊技球保持部材の球保持穴に保持された遊技球の一部と係止することにより、前記流路変換部材を前記球抜き流路側への連通状態に保持する遊技球ロック部材と、から構成され、
前記背面体には、
前記底板ガイドスリットの上方に前記球貯留部に連通する球排出穴が形成されるとともに、当該背面体背面側の前記流路変換部材の一側方に、前記球発射装置に遊技球を１個ずつ供給する球送り装置が配設され、且つ、当該背面体背面側には、前記流路変換部材の下方に位置する前記球抜き流路と、前記流路変換部材の前記球送り装置側の下方に位置する前記遊技球ロック部材とが形成され、
前記切換操作部を操作することで、前記流路変換部材が前方にスライド動作して、前記遊技球保持部材の球保持穴に遊技球が落ち込むと、該球保持穴の下側に臨む前記遊技球ロック部材の上端部に遊技球の下部が落ち込んで遊技球が保持されて、前記流路変換部材が球抜き流路側への連通状態に保持され、前記球貯留部の球抜きが終了し、
前記切換操作部を再度さらに操作することで、
前記遊技球保持部材の球保持穴に遊技球を保持した状態から、前記遊技球保持部材が前方にスライド動作して、前記遊技球保持部材で保持した遊技球が前記遊技球ロック部材の上端部から落下し、前記流路変換部材の位置拘束が解除され、前記流路切換装置が前記通常状態に復帰するようにしたことを特徴とする遊技機の球貯留皿。
【請求項２】
前記遊技球ロック部材は、前記背面体から後方に突出して上方に延出する形状をなしていて、当該遊技球ロック部材の上端部に球保持用段差部を有していることを特徴とする請求項１に記載の遊技機の球貯留皿。
【請求項３】
前記切換操作部には、当該切換操作部の操作状態において、前記球抜き流路側ヘ連通状態であることを文字により表示する報知用表示部が設けられていることを特徴とする請求項１または請求項２に記載の遊技機の球貯留皿。
【発明の詳細な説明】
【技術分野】
【０００１】
本発明は、パチンコ遊技機等の遊技機における所謂上皿としての球貯留皿に関するものである。
【背景技術】
【０００２】
従来の遊技機、例えば、パチンコ遊技機においては、その遊技機の前面側に、賞球や球貸しにより排出された遊技球を一時的に貯留しておく球貯留皿（上皿）が備えられており、その貯留された遊技球を球送り装置により球発射装置の球発射部へ１個ずつ供給して、遊技を行うようにしていた。
また、遊技機の前面側には、前記球貯留皿（上皿）の下方に位置する球受け皿（下皿）が備えられている。
そして、遊技の終了時や大当り後の出球交換時に、球貯留皿に貯留された貯留球を下方の球受け皿に移すため、球貯留皿に設けられた球抜き操作部を遊技者が操作することによって、球貯留皿から球受け皿へと形成された球抜き流路を開成して、上皿である球貯留皿から下皿としての球受け皿への球抜きを行うようにしていた。
【特許文献１】特開平６−３１９８６０号公報
【発明の開示】
【発明が解決しようとする課題】
【０００３】
以上のように、従来の球貯留皿（上皿）から球受け皿（下皿）への球抜き動作は、遊技者が操作したときのみ行われるものであったため、例えば、大当り終了後の出球交換時などの球貯留皿に貯留された多量の貯留球を球抜きするような場合においては、球抜き操作部の操作を遊技者が球抜き終了まで継続して行わなければならず、このような作業は非常に煩わしいものとなっていた。
さらに、大当り終了後の出球交換時には、球受け皿に球抜きされた遊技球を球受け皿から球箱へ移す動作も行わなければならず、即ち、球受け皿に設けられた球抜き操作部を遊技者が操作して、下皿からの球抜き動作を行わなければならない。
【０００４】
このため、従来は、下皿である球受け皿内の球をすべて球箱へ移すのが終了してから、上皿である球貯留皿の貯留球を前述したように下皿である球受け皿に球抜きして、その球受け皿に球抜きされた球を球箱に再度移す作業をしなければならず、このような作業も時間のかかる非常に煩わしいものとなっていた。
そして、大当り時には通常、多量のセーフ球が発生しているため、一般に、大当り中に賞球排出処理ができなかったセーフ球に対応した分だけ、大当り終了後に賞球排出作動がずれ込む場合が多い。
従って、そのような賞球排出動作が終了するまで、遊技者が前述したような球抜き操作部の操作を継続していなければならず、以上のように時間がかかる非常に煩わしい作業を必要としていた。
【０００５】
そこで、本発明の目的は、パチンコ遊技機等の遊技機において、球抜き操作部の簡単な操作だけで貯留球をすべて球抜きできるようにした球貯留皿を提供することにある。
そして、本発明は、球抜き状態の解除動作も簡単に行え、また、球抜き状態が保持された状態にあることの報知を可能とし、さらに、誤動作等による不本意な球抜き状態の保持を回避できるようにすることも目的としている。
【課題を解決するための手段】
【０００６】
以上の課題を解決すべく請求項１に記載の発明は、
球発射装置へ供給する遊技球を貯留しておく球貯留部と、
この球貯留部の遊技球を前記球発射装置へ供給する球供給流路と前記球貯留部から下方へ遊技球を排出する球抜き流路との流路切換動作を行う流路切換装置と、
この流路切換装置を遊技者の操作により切換動作可能とする切換操作部と、を備えた遊技機の球貯留皿において、
当該球貯留皿は、前面体と背面体との間に前記球貯留部が形成される中間体を介設してなり、
前記球供給流路側へバネの付勢により切り換えられている通常状態の前記流路切換装置を遊技者による前記切換操作部の操作により前記球抜き流路側へ切り換えて、該球抜き流路側へ切り換えられた前記流路切換装置の流路切換状態の保持をする流路切換状態保持手段、を備え、
前記流路切換装置は、前記球供給流路の底板を構成し、遊技者による前記切換操作部の操作により前記背面体に形成された底板ガイドスリットに組み込まれて前後方向にスライド動作し、前記球供給流路側への連通状態と前記球供給流路側に対し非連通状態で前記球抜き流路側への連通状態とに変換する流路変換部材を備え、
前記流路切換状態保持手段は、
前記流路変換部材から後方に突出して形成され、前記球抜き流路側へ連通状態とする変換動作の際に１個の遊技球を保持する球保持穴が形成された遊技球保持部材と、
この遊技球保持部材の球保持穴に保持された遊技球の一部と係止することにより、前記流路変換部材を前記球抜き流路側への連通状態に保持する遊技球ロック部材と、から構成され、
前記背面体には、
前記底板ガイドスリットの上方に前記球貯留部に連通する球排出穴が形成されるとともに、当該背面体背面側の前記流路変換部材の一側方に、前記球発射装置に遊技球を１個ずつ供給する球送り装置が配設され、且つ、当該背面体背面側には、前記流路変換部材の下方に位置する前記球抜き流路と、前記流路変換部材の前記球送り装置側の下方に位置する前記遊技球ロック部材とが形成され、
前記切換操作部を操作することで、前記流路変換部材が前方にスライド動作して、前記遊技球保持部材の球保持穴に遊技球が落ち込むと、該球保持穴の下側に臨む前記遊技球ロック部材の上端部に遊技球の下部が落ち込んで遊技球が保持されて、前記流路変換部材が球抜き流路側への連通状態に保持され、前記球貯留部の球抜きが終了し、
前記切換操作部を再度さらに操作することで、
前記遊技球保持部材の球保持穴に遊技球を保持した状態から、前記遊技球保持部材が前方にスライド動作して、前記遊技球保持部材で保持した遊技球が前記遊技球ロック部材の上端部から落下し、前記流路変換部材の位置拘束が解除され、前記流路切換装置が前記通常状態に復帰するようにした構成を特徴としている。
【０００７】
請求項１に記載の発明によれば、遊技機の流路切換装置用の切換操作部（球抜き操作部）を備える球貯留皿（上皿）において、さらに、球抜き流路側への流路切換状態に保持する流路切換状態保持手段を備えたので、通常は球供給流路側へ流路切換状態にある流路切換装置を、遊技者による切換操作部（球抜き操作部）の操作により球抜き流路側へ切り換えると、そのまま従来のような遊技者による操作の継続を必要とせずに、球抜き流路側への流路切換状態に保持される。
従って、遊技者が切換操作部（球抜き操作部）の簡単な操作をするだけで、球貯留皿（上皿）の貯留球をすべて、例えば、下方の球受け皿（下皿）等へ球抜きできるようになる。
そして、切換操作部を再度さらに操作することで、遊技球保持部材に遊技球を保持した状態から、遊技球保持部材がスライド動作して、遊技球保持部材で保持した遊技球が遊技球ロック部材の上端部から落下し、流路変換部材の位置拘束が解除され、流路切換装置が前記通常状態に復帰するので、遊技者が切換操作部（球抜き操作部）を再度操作すると、球抜き流路側への流路切換状態の保持が解除される。従って、遊技者が切換操作部（球抜き操作部）を再度操作する簡単な操作だけで、流路切換装置を通常の球供給流路側への流路切換状態に戻せる。
すなわち、球供給流路の底板を構成する流路変換部材（スライド部材）と、流路変換部材（スライド部材）から後方に突出して形成された遊技球保持部材（球保持穴を有する部材）と、その遊技球保持部材（球保持穴を有する部材）の球保持穴に保持された遊技球の一部と係止する遊技球ロック部材（流路変換部材（スライド部材）の下方において固定したロック部材）と、を備えたので、遊技者による切換操作部（球抜き操作レバー）の操作により流路変換部材（スライド部材）を球供給流路側への連通状態から球抜き流路側への連通状態に変換すると、その変換動作の際に１個の遊技球が遊技球保持部材（球保持穴を有する部材）の球保持穴に保持される。
続いて、その球保持穴に保持された遊技球の一部が遊技球ロック部材（流路変換部材（スライド部材）の下方において固定したロック部材）に係止して、流路変換部材（スライド部材）が球抜き流路側への連通状態にロックされる。
そして、球抜き後は、遊技者が切換操作部（球抜き操作レバー）を球抜き解除操作、例えば、球抜き方向に再度操作すると、遊技球保持部材（球保持穴を有する部材）の球保持穴に保持された１個の遊技球に対する遊技球ロック部材（流路変換部材（スライド部材）の下方において固定したロック部材）による係止が解除されて、遊技球がなくなることから、流路変換部材（スライド部材）が元に戻り、球抜き状態が解除される。
従って、前述したように球抜き状態のロックが確実に行え、しかも、球抜き流路内に遊技球がない状態では球抜き状態のロックができないため、遊技者が切換操作部（球抜き操作レバー）を球抜き解除操作（球抜き方向に再度操作）しておくことで、球抜き後の遊技再開時に不本意（例えば、誤動作による）な球抜き状態となるのを防止できる。
また、前述した通り、流路変換部材（スライド部材）に遊技球保持部材（球保持穴を有する部材）を形成して、その遊技球保持部材（球保持穴を有する部材）の球保持穴に保持された遊技球の一部と係止する遊技球ロック部材（流路変換部材（スライド部材）の下方において固定したロック部材）を設けるだけの簡単な構造によって、以上のような球抜き装置（機構）を構成できる。
【０００８】
請求項２に記載の発明は、
請求項１に記載の遊技機の球貯留皿であって、
前記遊技球ロック部材は、前記背面体から後方に突出して上方に延出する形状をなしていて、当該遊技球ロック部材の上端部に球保持用段差部を有していることを特徴とする。
このように、背面体から後方に突出して上方に延出する形状をなす遊技球ロック部材の上端部に球保持用段差部を有しているので、球保持穴に、遊技球が落ち込むと同時に、その下側に臨む遊技球ロック部材の上端部の球保持用段差部に遊技球の下部が落ち込んで、遊技球が保持される。
【０００９】
請求項３に記載の発明は、
請求項１または請求項２に記載の遊技機の球貯留皿であって、
前記切換操作部には、当該切換操作部の操作状態において、前記球抜き流路側ヘ連通状態であることを文字により表示する報知用表示部が設けられていることを特徴とする。    このように、切換操作部に、当該切換操作部の操作状態において、球抜き流路側へ連通状態であることを文字により表示する報知用表示部を設けたので、遊技者による切換操作部（球抜き操作部）の操作による球抜き流路側へ流路切換状態においては、切換操作部（球抜き操作部）に設けた報知用表示部によって、球受け皿（下皿）等への球抜き状態にあることが遊技者等に報知される。
従って、球抜き状態の保持の解除忘れの未然防止、球抜き後の遊技再開時の誤動作による球抜き防止が図れる。
【発明の効果】
【００１０】
以上のように、請求項１に記載の発明に係る遊技機の球貯留皿によれば、流路切換装置用の切換操作部に加えて、球抜き流路側への流路切換状態に保持する流路切換状態保持手段を備えているため、通常は球供給流路側へ流路切換状態にある流路切換装置を、遊技者による切換操作部の操作により球抜き流路側へ切り換えることによって、そのまま従来のような遊技者による操作の継続を必要とせずに、球抜き流路側への流路切換状態を保持することができる。
従って、遊技者が切換操作部の簡単な操作をするだけで、球貯留皿の貯留球をすべて下方の球受け皿等へ球抜きすることができる。
この結果、例えば、パチンコ遊技機での大当り終了後の出球交換時において、球貯留皿に貯留された多量の貯留球を球抜きする場合でも、遊技者による切換操作部の１回の操作により球抜きがすべて行われるため、簡単であり、従来の如く遊技者が切換操作し続けるような操作の煩わしさを解消することができる。
また、例えば、上皿である球貯留皿の貯留球と下皿としての球受け皿の貯留球の球抜きを同時に行うことができるようになり、従って、従来よりも迅速に出球の交換作業を行うことができるようになる。
また、切換操作部を再度さらに操作することで、遊技球保持部材に遊技球を保持した状態から、遊技球保持部材がスライド動作して、遊技球保持部材で保持した遊技球がロック部材の上端部から落下し、流路変換部材の位置拘束が解除され、流路切換装置が前記通常状態に復帰するので、遊技者が切換操作部（球抜き操作部）を再度操作すると、球抜き流路側への流路切換状態の保持が解除される。従って、遊技者が切換操作部を再度操作する簡単な操作だけで、流路切換装置を通常の球供給流路側への流路切換状態に戻すことができる。
すなわち、流路切換状態保持手段を備えた上で、球供給流路の底板をなす流路変換部材と、流路変換部材から後方に突出した遊技球保持部材と、その遊技球保持部材の球保持穴に保持された遊技球の一部と係止する遊技球ロック部材と、を備えているため、遊技者が切換操作部を操作して流路変換部材を球抜き流路側への連通状態に変換することで、その変換動作の際に１個の遊技球を遊技球保持部材の球保持穴に保持させ、続いて、その球保持穴に保持された遊技球の一部を遊技球ロック部材に係止させて、流路変換部材を球抜き流路側への連通状態にロックすることができる。
従って、遊技球保持部材の球保持穴に保持される１個の遊技球がある限り、その球抜き状態を確実にロック状態にしておくことができる。
そして、球抜き後は、遊技者が切換操作部を球抜き解除操作して、遊技球保持部材の球保持穴に保持された１個の遊技球に対する遊技球ロック部材による係止を解除させることで、球抜き状態を解除することができる。
このように、球抜き流路内に遊技球がない状態では球抜き状態のロックがなされないため、球抜き後の遊技再開時に、誤動作等による不本意な球抜き状態となるのを防止することができる。
しかも、流路変換部材に遊技球保持部材を形成して、その遊技球保持部材の球保持穴に保持された遊技球の一部と係止する遊技球ロック部材を設けるだけの簡単な構造によって、以上のような球抜き装置を構成することができる。
【００１１】
請求項２に記載の発明に係る遊技機の球貯留皿によれば、請求項１に記載の発明による前述した効果が得られることに加え、球保持穴に、遊技球が落ち込むと同時に、その下側に臨む遊技球ロック部材の上端部の球保持用段差部に遊技球の下部が落ち込んで、遊技球が保持される。
【００１２】
請求項３に記載の発明に係る遊技機の球貯留皿によれば、請求項１または請求項２に記載の発明による前述した効果が得られることに加え、切換操作部に設けた報知用表示部によって、球抜き状態の保持の解除忘れを未然に防止することができると共に、球抜き後の遊技再開時の誤動作による球抜きも防止することができる。
【発明を実施するための最良の形態】
【００１３】
以下に、本発明に係る遊技機の球貯留皿の実施形態例を図１から図９に基づいて説明する。
【００１４】
図１は本発明を適用した一例としてのパチンコ遊技機における球貯留皿（上皿）部分の実施形態例を斜め前方から見た状態で示す外観斜視図であり、図２はその内部の流路変換部材（スライド部材）および遊技球保持部材等を示した要部分解斜視図である。
これら図１および図２において、４０は球貯留皿、４１は前面体、４２は背面体、４３は中間体、４４は球貯留部、４５は流路切換装置、４６は切換操作部（球抜き操作レバー）、５０は流路変換部材（スライド部材）、５１は球供給流路底板、６１は遊技球保持部材（球保持片）、６２は球保持穴である。
【００１５】
即ち、実施形態例において、パチンコ遊技機の球貯留皿４０部分は、図示のように、前面体４１と背面体４２との間に中間体４３を介設してなるもので、前面体４１の前方へ突出した部分に、中間体４３に形成した球貯留部４４が位置しており、４４ａは球流入穴である。
そして、以上の球貯留皿４０部分の内部には後述する流路切換装置４５等が構成される。
流路切換装置４５は、前面体４１に組み込まれて外部に露出する切換操作部としての球抜き操作レバー４６と、この球抜き操作レバー４６の前後方向のスライド操作による回転量を伝達するクランクロッド４７と、図３に拡大して示したように、このクランクロッド４７の先端部に備えたリンク部材４８と、前記クランクロッド４７の回転により前記リンク部材４８を介して前後方向にスライド動作する流路変換部材としてのスライド部材５０と、このスライド部材５０に一体に形成した球供給流路底板５１とから構成される。
【００１６】
なお、球抜き操作レバー４６はホルダ４９に回転自在に支持されて、ホルダ４９が前面体４１の内部に固定されている。
また、図３に示すように、リンク部材４８には、前記スライド部材５０に一体的に備えた連結板５２が連結されている。
この連結板５２を一体的に備えるスライド部材５０は、前面体４１の内部に取り付ける等した固定のガイド部材５３により前後方向へスライド自在に案内されるもので、中間体４３に形成した図示しないスライド部材ガイドスリットに組み込まれて前後方向にスライド自在となっている。
さらに、スライド部材５０は、ガイド部材５３の前面板５３ａと連結板５２との間に架設した圧縮コイルバネによるリターンバネ５４の弾発力によって後方へスライドする方向に常時付勢されている。
【００１７】
このようなスライド部材５０に一体に形成した球供給流路底板５１は、図４に示すように、背面体４２に形成した底板ガイドスリット５５に組み込まれて前後方向にスライド自在となっている。
なお、この底板ガイドスリット５５の上方に、背面体４２に形成した球排出穴５６が開口しており、この球排出穴５６は、前記球貯留部４４に形成した図示しない球排出穴に連通している。
そして、背面体４２の背面側には、球供給流路底板５１の一側方に位置する球供給流路５７が形成されると共に、球供給流路底板５１の下方に位置する球抜き流路５８が形成されており、球供給流路５７側に球送り手段５９が配設されている。球供給流路５７は前記球貯留部４４に貯留された遊技球を図示しない球発射装置へ供給するためのものであり、球抜き流路５８は前記球貯留部４４に貯留された遊技球をその下方に位置する所謂下皿としての図示しない球受け皿に抜くためのものである。
ここで、前記底板ガイドスリット５５は、球供給流路５７側が下がるよう斜めに形成されている。
【００１８】
以上の構成による流路切換装置４５を備えたパチンコ遊技機の球貯留皿４０において、球供給流路底板５１を一体に形成したスライド部材５０を、球抜き通路５８側に球供給通路底板５１が連通する状態に保持する流路切換状態保持手段６０を備えると共に、球抜き状態の保持の報知を行うための報知手段をなす報知用表示部６５を備えている。
即ち、流路切換状態保持手段６０は、球供給通路底板５１の球供給流路５７側のほぼ一半部から後方に突出させて一体に形成した遊技球保持部材としての球保持片６１と、この球保持片６１に形成した球保持穴６２と、球供給通路底板５１の球供給流路５７側のほぼ一半部下方において、球抜き流路５８の一端部側で背面体４２に一体的に固定した遊技球ロック部材６３とから構成されている。
【００１９】
そして、この遊技球ロック部材６３は、図８に示したように、背面体４２から後方に突出して上方に延出する形状をなしていて、球供給通路底板５１および球保持片６１の下方に近接する上端部に球保持用段差部６４を有している。
また、球抜き操作レバー４６には、図７に示したように、球抜き操作状態において、球抜き状態にあることを「開放中」の文字により表示する報知用表示部６５が設けられている。
【００２０】
以上の構成による流路切換状態保持手段６０を含む流路切換装置４５を球貯留皿４０に備えたパチンコ遊技機によれば、先ず、図１および図３に示したように、球抜き操作レバー４６を操作しない通常状態では、図４に示したように、球供給流路底板５１が球抜き流路５８の上方に突出状態にあって球供給流路５７側との連通状態に位置していて、この状態が保持されている。
このような球供給流路底板５１の球供給流路５７側への連通状態において、前記球貯留部４４の球排出穴を経て背面体４２に開口した球排出穴５６から斜めの底板ガイドスリット５５に球供給流路底板５１上に遊技球が落下して、図４に矢印を付して示したように、球供給流路５７側へ転がる。
そして、図示しない前記球発射装置と連動する図示しない球送り装置のソレノイドの通電ＯＮ／ＯＦＦにより、球送り部材５９が上下方向に揺動動作して、その二股部にて球供給流路底板５１上から遊技球Ｂが１個ずつ球供給流路５７に送られて、球発射装置へと供給される。
【００２１】
また、球抜き操作レバー４６を遊技者が手前側から向こう側へ倒すように押し込み操作すると、クランクロッド４７が回転して、その先端部のリンク部材４８を介して連結板５２が前方に動作する。
従って、この連結板５２と一体のスライド部材５０が前方にスライド動作し、即ち、このスライド部材５０と一体の球供給流路底板５１が、背面体４２の底板ガイドスリット５５に沿って前方にスライド動作する。
【００２２】
そして、例えば、少量の球抜きをするために球抜き操作レバー４６を、図５に矢印を付して示したように、向こう側に途中まで押し込み操作した状態では、図６に示すように、球供給流路底板５１が球抜き流路５８の上方にほぼ半分の突出状態となって、矢印を付したように、球排出穴５６から球供給流路底板５１上に落ちた遊技球Ｂが球抜き通路５８内に落ちて図示しない前記球受け皿に排出される。
なお、この状態では、球保持片６１の球保持穴６２の下側に遊技球ロック部材６３の上端部が近接しているため、球保持穴６２への遊技球の落し込みは発生しない。
また、このような状態において、図５に示したように、球抜き操作レバー４６に設けた報知用表示部６５の「開放中」の文字の大半が外部に露出するので、これにより少量の球抜き状態にあることが報知される。
【００２３】
次に、球抜き状態をロック状態とするために、図７に矢印を付して示したように、球抜き操作レバー４６をさらに向こう側へ押し込み操作した状態では、図８に示すように、球供給流路底板５１が球抜き流路５８の上方に僅かだけ突出した状態となって、球供給流路底板５１と一体の球保持片６１の球保持穴６２に、矢印を付したように、遊技球Ｂが落ち込むと同時に、その下側に臨む遊技球ロック部材６３の上端部の球保持用段差部６４に遊技球Ｂの下部が落ち込んで、遊技球Ｂが保持される。
従って、球供給流路底板５１がその位置でロックされた状態となって、図８に矢印を付して示したように、球排出穴５６から遊技球Ｂが球抜き通路５８内に連続して落ちて図示しない前記球受け皿に排出され、即ち、球貯留皿４０の球貯留部４４に貯留されたすべての遊技球が球受け皿に排出される。
このような状態において、図７に示したように、球抜き操作レバー４６に設けた報知用表示部６５の「開放中」の文字がすべて外部に露出するので、これにより球抜きロック状態にあることが報知される。
【００２４】
以上のような球抜きを終えて、その球抜きロック状態を解除するために球抜き操作レバー４６を再度さらに向こう側へ押し込み操作すると、図９（ａ）に示すように、球保持片６１の球保持穴６２に落ち込んだ状態の遊技球Ｂを、遊技球ロック部材６３の上端部の球保持用曲面凹部６６（ここでは、図４、図６、図８で示した球保持用段差部６４の変更例として説明する）により保持した状態から、図９（ｂ）に示したように、球供給流路底板５１と一体の球保持片６１が前方にスライド動作して、その球保持穴６２内の遊技球Ｂが遊技球ロック部材６３の前方に落下するので、球供給流路底板５１の位置拘束が解除される。
従って、図４に示したように、球供給流路底板５１は通常状態に復帰する。
【００２５】
以上の通り、本発明の実施形態例による流路切換状態保持手段６０を備えたパチンコ遊技機の球貯留皿４０によれば、以下に列挙する諸効果を発揮することができる。
【００２６】
（１）流路切換装置（流路変換部材５０）を球抜き状態に保持可能であるため、簡単な操作だけで球貯留皿（上皿）内の貯留球をすべて球受け皿（下皿）に球抜きすることができる。
（２）大当り終了後の出球交換時において、球貯留皿に貯留された多量の貯留球を球抜きする場合でも、遊技者が切換操作部（球抜き操作レバー４６）を操作し続けなくても、１回の操作により球抜きがすべて行われるため、簡単であり、従来のような操作の煩わしさがない。
（３）上皿である球貯留皿の貯留球と下皿としての球受け皿の貯留球の球抜きを同時に行うことができ、従来よりも迅速に出球の交換作業が行えるようになる。
（４）遊技者による切換操作部（球抜き操作レバー４６）の再度の操作によって、流路切換部材（スライド部材５０）の球抜き流路側への流路切換状態の保持を解除できるので、球抜き状態の解除動作が簡単に行える。
【００２７】
（５）球供給流路５７における遊技球Ｂを利用して、遊技球保持部材（球保持片）６１に保持した遊技球Ｂを遊技球ロック部材６３の係止によりロックして球抜き状態の保持を行うため、簡単な構造で球抜き機構を構成できる。また、球供給流路５７内に遊技球が無い状態では球抜き状態の保持ができないので、不本意な球抜き状態の保持を防止できる。
（６）球抜き状態の保持を報知する報知手段（報知表示部）６５を備えたことにより、球抜き状態の保持の解除を忘れることを未然に防止でき、遊技の再開により間違って球を抜いてしまうということがなくなる。
【００２８】
なお、本発明は以上の実施形態例に限定されるものではなく、球抜き操作部を含む具体的な細部構造等についても適宜に変更可能であることは勿論である。
また、本発明を適用する遊技機としては、パチンコ遊技機のみに限らず、アレンジボール遊技機等の弾球遊技機であってもよい。
【図面の簡単な説明】
【００２９】
【図１】本発明を適用した一例としてのパチンコ遊技機における球貯留皿（上皿）部分の実施形態例を斜め前方から見た状態で示す外観斜視図である。
【図２】図１の球貯留皿（上皿）および切換操作部（球抜き操作部）と、内部の流路変換部材（スライド部材）および遊技球保持部材等を示した要部分解斜視図である。
【図３】図２の切換操作部（球抜き操作部）、流路変換部材（スライド部材）および遊技球保持部材等の組込部分の通常状態を斜め前方から見た状態で示した拡大斜視図である。
【図４】図２の流路変換部材（スライド部材）および遊技球保持部材等の組込部分の通常状態を斜め後方から見た状態で示した拡大斜視図である。
【図５】図３の流路変換部材（スライド部材）および遊技球保持部材等の組込部分の少量球抜き状態を示す同様の拡大斜視図である。
【図６】図４の流路変換部材（スライド部材）および遊技球保持部材等の組込部分の少量球抜き状態を示す同様の拡大斜視図である。
【図７】図５の少量球抜き状態を経た球抜きロック状態への変化を示す同様の拡大斜視図である。
【図８】図６の少量球抜き状態を経た球抜きロック状態への変化を示す同様の拡大斜視図である。
【図９】図８の球抜きロック状態からのロック解除動作状態を斜め前方から見た状態で示す拡大斜視図で、併せて遊技球ロック部材の球保持部形状の変更例も示しており、（ａ）は球抜きロック状態の図、（ｂ）は球抜きロック解除動作時の図である。
【符号の説明】
【００３０】
４０  球貯留皿
４１  前面体
４２  背面体
４３  中間体
４４  球貯留部
４５  流路切換装置
４６  切換操作部（球抜き操作レバー）
５０  流路変換部材（スライド部材）
５１  球供給流路底板
５４  リターンバネ
５５  底板ガイドスリット
５６  球排出穴
５７  球供給流路
５８  球抜き流路
５９  球送り手段
６０  流路切換状態保持手段
６１  遊技球保持部材（球保持片）
６２  球保持穴
６３  遊技球ロック部材
６４  球保持用段差部
６５  報知手段（報知用表示部）
【図１】
2004329966.tif 000003
【図２】
2004329966.tif 000004
【図３】
2004329966.tif 000005
【図４】
2004329966.tif 000006
【図５】
2004329966.tif 000007
【図６】
2004329966.tif 000008
【図７】
2004329966.tif 000009
【図８】
2004329966.tif 000010
【図９】
2004329966.tif 000011